(57)【特許請求の範囲】
【請求項１】
種籾を所定の温度の温水に浸して殺菌する温湯浸種装置であって、所定の温度の温水を供給して種籾を温水に浸す温湯浸種槽と、冷水を満たしておく冷水槽とを同一平面上に配設し、温湯浸種槽並びに冷水槽に対し、支柱によって支持されて温湯浸種槽および冷水槽の上方に跨がるガイドレールと、該ガイドレールに案内されて温湯浸種槽と冷水槽との間で往復移動する自走クレーンを備えた走行クレーン装置を配設し、走行クレーン装置の自走クレーンのフックを、種籾収納容器の枠体に設けられた吊り具に引っかけて種籾収納容器を吊り下げるように構成されており、種籾収納容器をフックに吊り下げて搬送するとともに温湯浸種槽および冷水槽の上方では種籾収納容器を浸漬してフックからはずすように構成したことを特徴とする温湯浸種装置。
【発明の詳細な説明】
【０００１】
【発明の属する技術分野】
本発明は、種籾を所定の温度の温水に浸して殺菌する温湯浸種装置に関するものである。
【０００２】
【従来の技術】
褐条病、苗立枯細菌病等の細菌病に対する対策としては、有効な薬剤が存在しないことから、次に説明する冷水温湯浸種方法や温湯浸種方法が有効であることが実験室レベルで確認されている。
【０００３】
冷水温湯浸種方法は、種籾を２０℃以下の冷水に１６〜２４時間浸漬したのち４８〜４９℃の温湯に１〜２分間浸し、ついで、５１℃の温湯に約７分間浸したのち２０℃以下の冷水で冷却する。また、温湯浸種方法は、種籾を５７℃の温湯に１５分間浸漬したのち２０℃以下の冷水で冷却する。
【０００４】
【発明が解決しようとする課題】
上述した冷水温湯浸種方法や温湯浸種方法は、正確な温水温度および浸漬時間の厳守が肝要であるが、実際に農場レベルで必要な量の種籾の殺菌に用いる場合、単に実験室で用いられる温水槽を大型化しただけでは、正確な温水温度および浸漬時間の厳守が困難であるばかりでなく、温水槽に浸された種籾全体を均一な殺菌温度に維持することが困難であった。
【０００５】
本発明は、上記従来の技術の有する問題点に鑑みてなされたものであって、所定の温度の温水を供給して種籾を温水に浸す温湯浸種槽と、冷水を満たしておく冷水槽とを配設するとともに、温湯浸種槽並びに冷水槽に対し、種籾収納容器を吊り下げて搬送するとともに出し入れするための走行クレーン装置を配設したことにより、必要な量の種籾の殺菌を、正確な温水温度および浸漬時間の厳守のもとに確実かつ能率よく行なうことができる温湯浸種装置を提供することを目的とするものである。
【０００６】
【課題を解決するための手段】
上記目的を達成するため、本発明の請求項１に係る温湯浸種装置は、種籾を所定の温度の温水に浸して殺菌する温湯浸種装置であって、所定の温度の温水を供給して種籾を温水に浸す温湯浸種槽と、冷水を満たしておく冷水槽とを同一平面上に配設し、温湯浸種槽並びに冷水槽に対し、支柱によって支持されて温湯浸種槽および冷水槽の上方に跨がるガイドレールと、該ガイドレールに案内されて温湯浸種槽と冷水槽との間で往復移動する自走クレーンを備えた走行クレーン装置を配設し、走行クレーン装置の自走クレーンのフックを、種籾収納容器の枠体に設けられた吊り具に引っかけて種籾収納容器を吊り下げるように構成されており、種籾収納容器をフックに吊り下げて搬送するとともに温湯浸種槽および冷水槽の上方では種籾収納容器を浸漬してフックからはずすように構成したことを特徴とするものである。
【０００７】
【発明の実施の形態】
本発明の温湯浸種装置の一実施の形態を図面に基づいて説明する。図１は本発明に係る温湯浸種装置の一実施の形態を示す説明図、図２（ａ）は温湯浸種槽の模式平面図、（ｂ）は（ａ）のＡ−Ａ線に沿う模式断面図である。
【０００８】
温湯浸種槽は、種籾を所定の温度の温水に浸漬するための上面が開放された箱状の温水槽１と、温水槽１に所定の温度に温度調節された温水を供給するための温水器２と、枠体７に互いに隙間をおいて支持された４個の収納籠８からなり、かつ温水槽１に出し入れ自在な種籾収納容器９を備えている。
【０００９】
種籾収納容器９は、金網や多孔板等からなる４個の収納籠８が互いに隙間をおいて枠体７に支持されており、かつ、種籾収納容器９と温水槽１の側壁との間に間隙が生じる形状に設定されている。しかしこれに限らず、収納籠の数を必要に応じ任意の数に変更したり、各収納籠を枠体に着脱自在に設けるように変更することができることはいうまでもない。
【００１０】
温水槽１には、その互いに対向する側壁のうちの一方の側壁の近傍から他方の側壁へ向けて温水器２より供給された所定の温度の温水を同時に吐出するための４個の吐出口５を有する供給管４が、前記一方の側壁に沿って配設されており、該供給管４の略中央部が導入管３を介して温水器２に接続されている。また、温水槽１には、略中央部における底部近傍部位から温水を排出するための排出口６ａを有する排出管６が配設されている。このため、温水槽１に供給された温水が、一方の側壁の近傍から他方の側壁に向けて流動する。
【００１１】
なお、本実施の形態では、供給管４に４個の吐出口５を設けたものを示したが、供給管に設ける吐出口の数は必要に応じて任意の数に変更できる。
【００１２】
本発明に係る温湯浸種装置は、図１に示すように、温湯浸種槽２０、３０と、冷水槽４０とを同一平面上に配設し、これら温湯浸種槽２０、３０並びに冷水槽４０に対し、種籾収納容器９を吊り下げて搬送するとともに出し入れするための走行クレーン装置５０を配設して構成されている。
【００１３】
すなわち、走行クレーン装置５０は、支柱５１によって支持されて温湯浸種槽２０、３０および冷水槽４０の上方に跨がるガイドレール５２と、該ガイドレール５２に案内されて温湯浸種槽２０、３０と冷水槽４０との間で往復移動する自走クレーン５３を備えており、自走クレーン５３のフック５４を、種籾収納容器９の枠体７に設けられた吊り具１１に引っかけて種籾収納容器９を吊り下げるとともに温湯浸種槽２０、３０および冷水槽４０の上方では種籾収納容器９を浸漬してフック５４からはずすように構成されている。
【００１４】
次に、本実施の形態による温湯浸種槽の動作について説明する。
【００１５】
種籾収納容器９の各収納籠８に種籾を詰めた網袋１０を収納し、種籾収納容器９と温水槽１の側壁との間に隙間が生じると同時に、収納籠８の間の隙間が吐出口５から吐出される温水の方向と略平行になるように温水槽１内に配置する。
【００１６】
そして、温水器２により所定の温度に温度調節された温水を導入管３を介して供給管４に供給すると、前記温水は各吐出口５より同時に吐出されて矢印方向に流動したのち、温水槽１の略中央部の底部近傍の排出口６ａより排出管６内へ流入する流れとなって槽外へ排出される。このため、温水槽１中において温水が滞留することがなく温水槽１中における温水の温度ムラの発生が防止され、各収納籠８中の籾を確実に殺菌することができる。
【００１７】
続いて、本実施の形態による温湯浸種装置の動作について説明する。
【００１８】
（冷水温湯浸種方法の場合）
予浸用の温湯浸種槽２０には、その温水器２により、４８〜４９℃に温度調節した温水を供給し、浸種用の温湯浸種槽３０にはその温水器２により５１℃に温度調節した温水を供給し、冷水槽４０は２０℃以下の冷水で満たしておく。
【００１９】
そして、予め２０℃以下の冷水に１６〜２４時間浸した網袋１０に詰めた種籾を種籾収納容器９の各収納籠８にそれぞれ収納し、該種籾収納容器９を自走クレーン５３で吊り下げて予浸用の温湯浸種槽２０へ搬送し、４８〜４９℃の温水中に１〜２分間浸たす。
【００２０】
次いで、種籾収納容器９を自走クレーン５３により予浸用の温湯浸種槽２０から引き上げて浸種用の温湯浸種槽３０上へ搬送し、５１℃の温湯中に１５分間浸漬する。
【００２１】
次いで、種籾収納容器９を浸種用の温湯浸種槽３０から自走クレーン５３により引き上げて冷水槽４０上へ搬送し、２０℃以下の冷水に浸して冷却する。
【００２２】
（温湯浸種方法の場合）
浸種用の温湯浸種槽３０に、その温水器２により、５７℃に温度調節した温水を供給し、冷水槽４０は２０℃以下の冷水で満たしておく。
【００２３】
そして、網袋１０に詰めた乾燥種籾を、種籾収納容器９の各収納籠８にそれぞれ収納し、該種籾収納容器９を自走クレーン５３で吊り下げて浸種用の温湯浸種槽３０上に搬送し、５７℃の温水に１５分間浸漬する。
【００２４】
次いで、自走クレーン５３によって種籾収納容器９を浸種用の温湯浸種槽３０から引き上げて冷水槽４０上に搬送し、２０℃以下の冷水に浸して冷却する。
【００２５】
【発明の効果】
本発明は、上述のとおり構成されているので次に記載するような効果を奏する。
【００２６】
種籾を温水に浸漬して殺菌する際に、種籾を収納した種籾収納容器を温湯浸種槽並びに冷水槽に対し、走行クレーンにより逐次吊り下げて搬送するとともに出し入れすることから、必要な量の種籾の殺菌を、正確な温水温度および浸漬時間の厳守のもとに確実かつ能率よく行なうことができる。
【図面の簡単な説明】
【図１】  本発明に係る温湯浸種装置の一実施の形態を示す説明図である。
【図２】  本発明に係る温湯浸種装置の一実施の形態を示し、（ａ）は温湯浸種槽の模式平面図、（ｂ）は（ａ）のＡ−Ａ線に沿う模式断面図である。
【符号の説明】
１  温水槽
２  温水器
３  導入管
４  供給管
５  吐出口
６  排出管
６ａ  排出口
７  枠体
８  収納籠
９  種籾収納容器
１０  網袋
１１  吊り具
２０  予浸用の温湯浸種槽
３０  浸種用の温湯浸種槽
５０  走行クレーン装置
５１  支柱
５２  ガイドレール
５３  自走クレーン
５４  フック
【図１】
0004022686.tif 000002
【図２】
0004022686.tif 000003